(57)【要約】【課題】  リソースダウンロード時のエラーの原因によって印刷装置のアイコン（指標）の色を変える等、アイコンの表示形態の変更による高可視性を保ちつつ、ユーザがエラー時の対処を容易に行うことを可能とする。【解決手段】  管理用ＰＣ２によって、一又は複数の印刷装置（プリンタ）２にリソースをダウンロードする際に、ダウンロード先の印刷装置２の状態を表示する。次いで、印刷装置に対するリソースのダウンロード時の状態を判定する。そして、リソースのダウンロード時の判定結果に応じて印刷装置の表示形態を変更する。【選択図】  図４
2007109060.tif 000002
【特許請求の範囲】
【請求項１】
一又は複数の印刷装置にリソースをダウンロードするリソース管理装置であって、
ダウンロード先の印刷装置の状態を表示する表示手段と、
前記印刷装置に対する前記リソースのダウンロード時の状態を判定する判定手段と、
前記判定手段による前記リソースのダウンロード時の判定結果に応じて、前記表示手段による前記印刷装置の表示形態を変更する変更手段と
を備えることを特徴とするリソース管理装置。
【請求項２】
ダウンロード先の印刷装置を指示する指示手段であって、前記判定手段による判定結果から前記リソースのダウンロードが失敗したと判定された印刷装置のうち、印刷装置自身の障害に依存しないエラーが発生した印刷装置を一括してダウンロード先の印刷装置として指示する指示手段をさらに備えることを特徴とする請求項１に記載のリソース管理装置。
【請求項３】
前記表示手段が、前記印刷装置の状態を複数種類の形態による指標を用いて表示可能であり、
前記変更手段が、前記表示手段によって表示されている指標の形態を、前記印刷装置の状態に対応した形態に変更する
ことを特徴とする請求項１又は２に記載のリソース管理装置。
【請求項４】
前記表示手段が、前記印刷装置の状態を指標の色分けによって表示可能であることを特徴とする請求項３に記載のリソース管理装置。
【請求項５】
前記表示手段が、前記印刷装置の状態を指標の形状の違いによって表示可能であることを特徴とする請求項３に記載のリソース管理装置。
【請求項６】
前記表示手段が、前記印刷装置の状態を前記指標とともに付加情報を付加して表示可能であることを特徴とする請求項３に記載のリソース管理装置。
【請求項７】
前記判定手段は、前記印刷装置が印刷可能な状態にあるか否かにかかわらず、前記リソースのダウンロードの状態を判定することを特徴とする請求項１から６までのいずれか１項に記載のリソース管理装置。
【請求項８】
前記判定手段は、前記リソースのダウンロード時に、エラーなし、印刷装置にエラーあり、ネットワークにエラーあり、又は、リソースにエラーがありを判定し、
前記変更手段は、エラーなし、印刷装置にエラーあり、ネットワークにエラーあり、又は、リソースにエラーがありのそれぞれに応じた表示形態に指標の形態を変更する
ことを特徴とする請求項１から７までのいずれか１項に記載のリソース管理装置。
【請求項９】
一又は複数の印刷装置にリソースをダウンロードするリソース管理方法であって、
ダウンロード先の印刷装置の状態をコンピュータの表示画面上に表示する表示工程と、
前記印刷装置に対する前記リソースのダウンロード時の状態を判定する判定工程と、
前記判定工程による前記リソースのダウンロード時の判定結果に応じて、前記表示画面上に表示される前記印刷装置の表示形態を変更する変更工程と
を有することを特徴とするリソース管理方法。
【請求項１０】
一又は複数の印刷装置にリソースをダウンロードさせるコンピュータに、
ダウンロード先の印刷装置の状態を表示画面上に表示する表示手順と、
前記印刷装置に対する前記リソースのダウンロード時の状態を判定する判定手順と、
前記判定手順による前記リソースのダウンロード時の判定結果に応じて、前記表示画面上に表示される前記印刷装置の表示形態を変更する変更手順と
を実行させるためのプログラム。
【発明の詳細な説明】
【技術分野】
【０００１】
本発明は、印刷装置で使用する、フォントデータ、フォームオーバレイデータ、カラーマッチングデータ等のリソースのダウンロード時のシステム内の状態を管理するリソース管理装置、リソース管理方法及びプログラムに関する。
【背景技術】
【０００２】
従来、フォントデータ、フォームオーバレイデータ、カラーマッチングデータ等のリソースをプリンタ等の印刷装置で使用する場合、あらかじめ印刷装置内に記憶されている場合を除き、印刷装置にダウンロードして使用していた。この処理を行うためのソフトウェアとして、キヤノン社のNetSpot Resource Downloader、ヒューレットパッカード社のResource Manager等がある。そして、これらのソフトウェアでは、リソースのダウンロードが失敗すると、エラーメッセージを表示する等して、ユーザにエラーが発生したことを知らせていた。
【０００３】
一方で、印刷装置のステータスをアイコンで表示するソフトウェアが提案されている（例えば、特許文献１参照。）。これによれば、アイコン表示により、印刷装置が使用可能な状態かどうかの判別を容易に行うことが可能となる。
【特許文献１】特開平10-229508号公報
【発明の開示】
【発明が解決しようとする課題】
【０００４】
印刷で使うリソースのダウンロードに関して考えると、エラー原因は大きく３つに分けることが出来る。１つ目は、印刷装置のエラーであり、印刷装置が使用できない状態、例えば紙詰まりやメモリフル等で処理を受け付けられない状態にある場合である。２つ目は、ネットワークのエラーであり、例えばネットワークが混雑していることによりタイムアウトが発生した場合である。３つ目は、リソースエラーであり、例えばダウンロードしようとしたリソースが壊れているかデータのフォーマットが違っているような場合である。
【０００５】
数台の印刷装置にダウンロードする場合は、従来どおりメッセージ表示を行ってもそれほど問題は生じないと考えられる。しかしながら、メインフレームコンピュータに接続した数千台のプリンタにフォントデータをダウンロードするケースを考えると、リソースのエラーであれば数千のエラーメッセージが発生し、対処が非常に困難となる。
【０００６】
また、印刷装置の状態をアイコン等で表示した場合、どの印刷装置が使えるかどうかは容易に判定することはできるが、エラー対処をどのようにすればよいかまでは分からず、対処するにはエラーメッセージに頼るしかなかった。
【０００７】
本発明は、このような事情を考慮してなされたものであり、次のような目的を達成することができるリソース管理装置、リソース管理方法及びプログラムを提供する。すなわち、リソースダウンロード時のエラーの原因によって印刷装置のアイコン（指標）の色を変える等、アイコンの表示形態の変更による高可視性を保ちつつ、ユーザがエラー時の対処を容易に行うことを可能とする。
【課題を解決するための手段】
【０００８】
上記課題を解決するために、本発明は、一又は複数の印刷装置にリソースをダウンロードするリソース管理装置であって、
ダウンロード先の印刷装置の状態を表示する表示手段と、
前記印刷装置に対する前記リソースのダウンロード時の状態を判定する判定手段と、
前記判定手段による前記リソースのダウンロード時の判定結果に応じて、前記表示手段による前記印刷装置の表示形態を変更する変更手段と
を備えることを特徴とする。
【０００９】
また、上記課題を解決するために、本発明は、一又は複数の印刷装置にリソースをダウンロードするリソース管理方法であって、
ダウンロード先の印刷装置の状態をコンピュータの表示画面上に表示する表示工程と、
前記印刷装置に対する前記リソースのダウンロード時の状態を判定する判定工程と、
前記判定工程による前記リソースのダウンロード時の判定結果に応じて、前記表示画面上に表示される前記印刷装置の表示形態を変更する変更工程と
を有することを特徴とする。
【００１０】
さらに、上記課題を解決するために、本発明に係るプログラムは、
一又は複数の印刷装置にリソースをダウンロードさせるコンピュータに、
ダウンロード先の印刷装置の状態を表示画面上に表示する表示手順と、
前記印刷装置に対する前記リソースのダウンロード時の状態を判定する判定手順と、
前記判定手順による前記リソースのダウンロード時の判定結果に応じて、前記表示画面上に表示される前記印刷装置の表示形態を変更する変更手順と
を実行させることを特徴とする。
【発明の効果】
【００１１】
本発明によれば、リソースダウンロード時のエラーの原因によって印刷装置のアイコン（指標）の色を変える等、アイコンの表示形態の変更による高可視性を保ちつつ、ユーザがエラー時の対処を容易に行うことを可能とする。
【発明を実施するための最良の形態】
【００１２】
図１は、本発明の一実施形態に係るネットワークシステムの構成例を示す図である。図１において、１はＬＡＮ等のネットワークである。ネットワーク１は、物理的なケーブルと通信のためのプロトコルを合わせた概念であり、ここではＴＣＰ／ＩＰによる通信が行われているものとする。２は管理用のＰＣであり、プリンタ３にフォント、フォーム、カラープロファイル等のリソースをダウンロードする。ダウンロードすべきリソースや、ダウンロード処理を行うソフトウェアであるダウンローダは、このＰＣ２上に全て保持される。３はダウンロード対象のプリンタであり、１台の場合もあるが、通常は複数のプリンタがネットワーク１上に接続されている。
【００１３】
尚、ＴＣＰ／ＩＰプロトコルを使用するため、サブネットが異なるプリンタが接続される場合もある。この場合、サブネットが異なるネットワークの間をルータが接続し、それぞれのサブネット上にプリンタが接続される。サブネットが異なる場合、ダウンロードに使うプロトコル（ＴＣＰ／ＩＰより上位の概念のプロトコル）がルータを通過できるようにルータが設定されている。
【００１４】
図１に図示した以外に、パーソナルコンピュータ、端末、サーバ等の様々なネットワーク対応機器が同一ネットワーク上に接続されていることが一般的であるが、本発明の説明には影響しない。
【００１５】
次に、図２を用いて、本発明の一実施形態で実施されるダウンローダの動作について説明する。図２は、ＰＣ２で表示されるダウンローダの操作画面の一例を表す図である。
【００１６】
ＰＣ２においてリソースダウンローダを起動すると、ネットワーク１上のプリンタを探索する。探索は、ＳＮＭＰ等のＴＣＰ／ＩＰの上位のプロトコルを用いて行われる。探索が終了すると、ダウンロード対象となり得るプリンタを画面上の領域２１に表示する。表示に当たっては、例えば、プリンタをアイコンで表し、それをツリー状に表示することで可視性を良くすることができる。例えば、図２において、プリンタアイコンの右に表示されている文字列はプリンタ名称を表す。尚、プリンタ名称の横に記された色の種類は、プリンタアイコンの色を記したものであり、実際には画面上でアイコンが当該色で表示されており、この色の名称は表示されない。
【００１７】
次いでオペレータは、図２に示すように画面表示されたプリンタ一覧から、ダウンロード対象とするプリンタを選択する。選択・解除操作は、例えば、プリンタのアイコンをマウス等のポインティングデバイスを用いて１回クリックすると対象となり、再度クリックすると解除される。また、一度に複数のプリンタを選択する場合はポインティングデバイスのボタンを押したままプリンタアイコンを囲むようにカーソルを動かすことで、囲まれた範囲にあるプリンタが選択される。さらに、全プリンタを対象とする場合は、ツリー表示のルートとなる四角形をクリックする。選択されたプリンタは、文字部分が色の反転するか、枠で囲まれた表示になって強調される。本実施形態では、図２に示すように、全プリンタが選択されたものとして、以下の説明を行う。
【００１８】
オペレータは、次にダウンロードするリソースを設定する。オペレータがリソース追加ボタン２２をクリックすると、ファイル選択ダイアログボックスが表示される。オペレータは、そのダイアログボックス上でダウンロード対象とするリソースを指示する。ここでは、領域２３に示すように、フォントが５種類、カラープロファイルが３種類選択されている。また、ダウンロード対象としない場合は、そのリソースをポインティングデバイスで指示した後、リソース削除ボタン２４をクリックすることでダウンロード対象リソースではなくなる。このようにして、ダウンロード先プリンタとダウンロード対象リソースが決まった後、ダウンロードボタン２５をクリックすると、ダウンロードが行われる。
【００１９】
プリンタアイコンは色の種類によって、そのときの動作状態の違いを表している。例えば、青色は正常動作であり、リソースのダウンロードが可能なプリンタである。また、黄色はネットワークエラーによりアクセスができなかったプリンタであり、初期状態においてアクセスできないプリンタはリストアップされないため、画面が図２の段階にある場合はリストされない。さらに、橙色はプリンタが使用中かもしくは初期化処理中であり、処理が終わってプリンタの状態が変わるとリソースダウンロード可能となるものである。さらにまた、赤色はプリンタ印刷部不良であり、紙詰まりやトナー／インクの不足、紙送り機構の故障等、印刷ができないがプリンタの設定変更やリソースのダウンロードは行える状態を表す。さらにまた、紫色はリソース不正であり、欧米言語のプリンタに日本語フォントをダウンロードしたり、データが壊れている等の理由で印刷リソースの不正により印字できない状態であることを表す。尚、赤色の点滅はプリンタの不良であり、青、橙、赤、紫で表される以外のプリンタの状態を示している。
【００２０】
図２においては、Ｐｒｉｎｔｅｒ−Ａ、Ｂ、Ｃ、Ｅ、Ｆが正常状態、Ｄ、Ｇが異常状態であり、そのうちＤはプリンタの印刷部の不良、Ｇはプリンタ使用中又は初期化処理中である。
【００２１】
図３は、ダウンロード実効後のダウンローダ画面の一例を示す図である。図３に示す画面では、図２に示す画面と比較して、ダウンロードを行う際に問題が生じたプリンタのアイコンの色が変わっている。例えば、Ｐｒｉｎｔｅｒ−Ｂ、Ｃへのダウンロード中にネットワークに起因するタイムアウトが発生し、ダウンロードに失敗したためそれらのプリンタのアイコンが黄色になっている。また、Ｐｒｉｎｔｅｒ−Ｄは赤色のまま、Ｐｒｉｎｔｅｒ−Ｆはダウンロードしたリソースがプリンタに不適合であったため紫色である。さらに、Ｐｒｉｎｔｅｒ−Ｇはプリンタ使用中又は初期化処理中の状態が変わらず、橙色のアイコンのままである。
【００２２】
このような色分けされたアイコンのうち、黄色と橙色については時間経過とともに状況が変わりうるため、再ダウンロードでダウンロードできる可能性があることが分かる。また、赤色であれば、プリンタへのリソースダウンロードは行えるので、ダウンロード終了後もプリンタ印刷部不良のみの状態であればダウンロードが成功していることが分かる。
【００２３】
このように、本実施形態では、印刷装置の状態を印刷可能かどうかという観点からではなく、リソースをダウンロードするというオペレーションが可能かどうかという観点から色分けをしている。このようにすることで、どのプリンタに対して再処理が可能か、どのプリンタに対して再処理以外のリカバリー処理が必要かということが一目瞭然となる。
【００２４】
図４は、本発明の一実施形態に係るリソースにおけるダウンロード時のダウンローダの動作を説明するためのフローチャートである。以下では、図２に示す画面状態でダウンロードボタンをクリックした時のダウンローダの動作について説明する。
【００２５】
まず、対象プリンタ数を変数Ｎに代入する（ステップＳ４０１）。ここで、対象プリンタとは、画面上で選択されているプリンタである。次いで、Ｎが０かどうかを判定し（ステップＳ４０２）、Ｎ＝０であれば（Ｙｅｓ）、ステップＳ４１１に進む。一方、Ｎ≠０であれば（ＮＯ）、ステップＳ４０３に進む。
【００２６】
ステップＳ４０３では、プリンタＮにリソースをダウンロードする。ここで、プリンタは１番から順にＮ番まで、内部的に番号付けされているものとする。次いで、プリンタの状態を取得する（ステップＳ４０４）。そして、ステップＳ４０４で行った状態取得処理によって取得が成功したか否かの判定を行う（ステップＳ４０５）。その結果、取得できた場合（Ｙｅｓ）はステップＳ４０６に進み、取得できなかった場合（Ｎｏ）はステップＳ４０７に進む。
【００２７】
ステップＳ４０６では取得した状態にあわせてアイコンの色を設定し、ステップＳ４１０に進む。一方、ステップＳ４０７では、取得できなかった理由がネットワーク処理に関するタイムアウトかどうかの判定を行う。その結果、ネットワーク処理に関するタイムアウトと判定された場合（Ｙｅｓ）は、ステップＳ４０８に進む。一方、タイムアウトではないと判定された場合（Ｎｏ）は、ステップＳ４０９に進む。
【００２８】
尚、ネットワーク処理に関するタイムアウトかどうかの判定は、通信が部分的にでも行うことができたかどうかによって判断する。すなわち、全く通信が行えない場合はプリンタに問題があると判断し、そうでなければネットワークの問題と判断する。また、本実施形態では採用していないが、同一サブネット上にある他のプリンタとの通信ができ、特定のプリンタとの通信のみが行えない場合は、プリンタの問題と判断する。そして、同一サブネット上の全プリンタとの通信が行えない場合は、ネットワークの問題と判断することもできる。
【００２９】
ステップＳ４０８ではプリンタアイコンの色属性を黄色に設定し、ステップＳ４１０に進む。また、ステップＳ４０９ではプリンタアイコンの色属性を赤色の点滅に設定し、ステップＳ４１０に進む。
【００３０】
ステップＳ４１０では、カウンタＮを１つ減じて（デクリメント）、ステップＳ４０２に戻る。また、ステップＳ４１１では、各アイコンに設定された色属性に従って画面を更新する。
【００３１】
図５は、図４のステップＳ４０６の動作を詳細に説明するためのフローチャートである。ステップＳ４０６では、取得したプリンタの状態に基づいてアイコンの色を設定する。
【００３２】
まず、取得した状態からエラーなしかどうかを判定する（ステップＳ５０１）。その結果、エラーなしと判定された場合（Ｙｅｓ）はステップＳ５０６に進む。一方、エラーなしと判定されなかった場合（Ｎｏ）はステップＳ５０２に進む。ステップＳ５０２では、取得した状態から印刷部エラーかどうかを判定する。そして、印刷部エラーと判定された場合（Ｙｅｓ）はステップＳ５０７に進み、そうでない場合（Ｎｏ）はステップＳ５０３に進む。
【００３３】
ステップＳ５０３では、取得した状態からプリンタ使用中かどうかを判定する。そして、プリンタ使用中と判定された場合（Ｙｅｓ）はステップＳ５０８に進み、そうでない場合（Ｎｏ）はステップＳ５０４に進む。ステップＳ５０４では、取得した状態からプリンタ初期化中かどうかを判定する。そして、プリンタ初期化中と判定された場合（Ｙｅｓ）はステップＳ５０８に進み、そうでない場合（Ｎｏ）はステップＳ５０５に進む。
【００３４】
ステップＳ５０５では、取得した状態からリソースが不正かどうかを判定する。そして、リソースが不正と判定された場合（Ｙｅｓ）はステップＳ５０９に進み、そうでない場合（Ｎｏ）はステップＳ５１０に進む。
【００３５】
ステップＳ５０６では、全て正常という判断がされたということで、アイコンの色属性を青色に設定する。また、ステップＳ５０７では、印刷部のエラーということで、アイコンの色属性を赤色に設定する。さらに、ステップＳ５０８では、プリンタが使用中若しくは初期化中ということで、アイコンの色属性を橙色に設定する。さらにまた、ステップＳ５０９では、ダウンロードしたリソースが不正ということで、アイコンの色属性を紫色に設定する。さらにまた、ステップＳ５１０では、プリンタ状態を判定できないエラー状態とみなし、アイコンの色を赤色の点滅に設定する。
【００３６】
ここで、図２に示す画面状態からダウンロードボタンをクリックし、図３の画面状態になるまでの動作例について具体的に説明する。まず、プリンタ数Ｎは７であり、内部的にはプリンタＡが１番、プリンタＢが２番、以下同様にプリンタＧが７番まで対応付けられている。
【００３７】
ここで、７番のプリンタＧにダウンロードを行ったところ、プリンタへのダウンロードが行えず、状態を取得したところプリンタ使用中という情報が返ってきたため、アイコンを橙色に設定する。次いで、６番のプリンタＧにリソースをダウンロードしたところ、プリンタが処理できないリソースであった。そこで、状態取得するとリソース不正が返ってきたため、アイコンを紫色に設定する。
【００３８】
次いで、５番のプリンタＥは全て問題なく終了し、エラーも無いため、アイコンを青色に設定する。さらに、４番のプリンタＤは、ダウンロードは終了したが、状態を取得したところ印刷部不良が返ってきたため、アイコンを赤色に設定する。また、３番のプリンタＣと２番のプリンタＢは、ともにダウンロード中若しくは状態取得中にタイムアウトが発生したため、アイコンを黄色に設定する。そして、１番のプリンタＡは全て問題なく終了し、エラーも無いため、アイコンを青色に設定する。
【００３９】
このように全プリンタの処理が終了した後、設定されたアイコンの色に従って画面のアイコンを書き換え、処理を終了する。
【００４０】
以上より、ダウンロード処理に関して、アイコンが青色、赤色であれば、正常終了という判断ができる。また、黄色、橙色であれば、リトライによりダウンロードできる可能性が有ると判断できる。さらに、紫色はリソースの修正、赤色点滅であればプリンタの確認又は修理が必要という判断ができる。
【００４１】
さらに、本実施形態では、黄色と橙色のアイコンのみ選択状態を保ち、リトライを容易に行うことができるようにすることができる。すなわち、紫色や赤色点滅のアイコンであればリトライは無意味であり、青色と赤色のアイコンはダウンロード成功である。したがって、黄色と橙色のアイコンの場合のみ、再ダウンロードを試みることに意味がある。
【００４２】
以上述べたように、プリンタを印刷可否ではなく、ダウンロードを実行するという観点でエラーを分類し、アイコンによって色分けすることで、ダウンロード失敗時にどのような対処が必要かを容易に知ることができる。尚、本実施形態では色分けを行ったが、アイコンの形状を変える、プリンタアイコンに別のアイコンを重ねる、アイコンに付加して補足情報を表示する等、別の方法を用いても構わない。
【００４３】
また、ダウンロードではなく、特定の設定、例えば紙サイズ設定や印字領域設定、パネルの表示言語の設定といった、プリンタのデフォルト動作条件設定では次のようにしてもよい。すなわち、その処理に応じた分類を行うことにより、紙サイズの違いはエラーとして表示するが、リソース設定用のＨＤＤに問題があってもエラーとして区別しないようにする。このように、行う処理に適したユーザインタフェースを提供することで、オペレータはその処理を適切に行うことができる。同様の例として、ネットワークの設定プログラムの使用に関しては、印刷やオペレーションパネル、用紙の状態等は無視するといったユーザインタフェースもあり得る。
【００４４】
さらに、処理を選択可能な場合、選択した処理によってアイコンの状態の判定を切り替えることも可能である。例えば、ダウンロード処理を行っているときは、ダウンロード処理に適した状態判定を行ってアイコンの形状や色を決定する。また、ネットワークの設定処理を行っているときは、ネットワークの設定処理に適した状態判定を行ってアイコンの形状や色を決定する。このように、処理に応じて判定手段を切り替えることで、処理にあわせたユーザインタフェースを提供することが可能になる。
【００４５】
尚、本発明は、あらかじめ装置に実装されたダウンローダとして実施してもよく、また汎用コンピュータ等にロードされて実行されるソフトウェアプログラムとして実施してもよい。或いは、そのプログラムをＣＤ−ＲＯＭ等の記憶媒体に記憶させてもよい。
【００４６】
このように、本発明によれば、複数の印刷装置が接続されたネットワーク上でダウンロードを行う際に、ダウンロード処理を行ったプリンタをダウンロードの成功／リトライ／失敗／設定を変えて再処理のように分類した。このように、ダウンロード処理に関する状態で分類し、その状態に従ってアイコンを変化させることにより、オペレータは目的に合致した対応を容易に行うことが可能となる。
【００４７】
さらに、本処理はダウンロード処理だけに限られず、その時に行う処理に対応した分類で表示手段を変えることにより、特定の作業効率を向上し、オペレータのミスを少なくすることができる。
【図面の簡単な説明】
【００４８】
【図１】本発明の一実施形態に係るネットワークシステムの構成例を示す図である。
【図２】ＰＣ２で表示されるダウンローダの操作画面の一例を表す図である。
【図３】ダウンロード実効後のダウンローダ画面の一例を示す図である。
【図４】本発明の一実施形態に係るシステムにおけるダウンロード時のダウンローダの動作を説明するためのフローチャートである。
【図５】図４のステップＳ４０６の動作を詳細に説明するためのフローチャートである。
【符号の説明】
【００４９】
１  ネットワーク
２  管理用ＰＣ
３  プリンタ
【図１】
2007109060.tif 000003
【図２】
2007109060.tif 000004
【図３】
2007109060.tif 000005
【図４】
2007109060.tif 000006
【図５】
2007109060.tif 000007